(57)【要約】【課題】  上蓋の開閉時に音が出る音出し機構付きのねじキャップを提供すること。【解決手段】  容器本体の口部に装着されるキャップ本体と、キャップ本体にねじで開閉する上蓋とからなるねじキャップであって、キャップ本体は、口部に嵌合する係合筒部と、係合筒部上部から立設され、外周に上蓋に設けられるねじ部に螺合するねじ部を形成した筒壁と、筒壁上端部から立設される注出筒とを備え、注出筒は、容器本体内部に連通する注出口と、外周に第１突条部とを備え、上蓋は、頂壁と、頂壁の周縁から垂設された側周壁とを備え、頂壁の下面には、注出口内周に密嵌合する密封栓と、密封栓の外側に音出し筒部とが垂設され、音出し筒部の内周下端部には、注出筒の第１突条部を乗り越えるたびに音を出す第２突条部を備え、閉蓋状態において、第１突条部と第２突条部との間に隙間が形成されていることを特徴とする。【選択図】  図１
2018188161.tif 000002
【特許請求の範囲】
【請求項１】
容器本体の口部に装着されるキャップ本体と、キャップ本体にねじで開閉する上蓋とからなるねじキャップであって、
キャップ本体は、口部に嵌合する係合筒部と、係合筒部上部から立設され、外周に上蓋に設けられるねじ部に螺合するねじ部を形成した筒壁と、筒壁上端部から立設される注出筒とを備え、
注出筒は、容器本体内部に連通する注出口と、外周に第１突条部とを備え、
上蓋は、頂壁と、頂壁の周縁から垂設された側周壁とを備え、
頂壁の下面には、注出口内周に密嵌合する密封栓と、密封栓の外側に音出し筒部とが垂設され、
音出し筒部の内周下端部には、注出筒の第１突条部を乗り越えるたびに音を出す第２突条部を備え、
閉蓋状態において、第１突条部と第２突条部との間に隙間が形成されていることを特徴とするねじキャップ。
【請求項２】
音出し筒部の下端部に、切欠部が形成されていることを特徴とする請求項１に記載のねじキャップ。
【請求項３】
切欠部の形状は、山形状、角形状、あるいはＵ字形状であることを特徴とする請求項２に記載のねじキャップ。
【請求項４】
切欠部は、対向する位置に２箇所形成されていることを特徴とする請求項２または３に記載のねじキャップ。
【請求項５】
ねじ部のねじのリード角が３°〜１５°の範囲であることを特徴とする請求項１〜４のいずれかに記載のねじキャップ。
【請求項６】
第１突条部の先端部の下端形状がＲ形状であることを特徴とする請求項１〜５のいずれかに記載のねじキャップ。
【発明の詳細な説明】
【技術分野】
【０００１】
本発明は、容器本体の口部に装着されたキャップ本体と上蓋がねじにより嵌合されるねじキャップに関し、とくに音出し機構付きのねじキャップに関するものである。
【背景技術】
【０００２】
液体調味料容器に使用されるキャップとして、液注出時の液切れが比較的よいことから、容器本体の口部に装着されたキャップ本体に注出口を形成する注出筒部を有するキャップが用いられている。
このようなキャップにおいては、キャップ本体にヒンジを介して開閉可能に連設された上蓋を有するヒンジキャップが用いられることが多いが、回転動作により容易に開栓が可能なねじキャップとすることも知られている。
【０００３】
ねじキャップにおいては、直接注出筒にねじを設けるものもあるが、注出筒とは別に開栓が容易となるオーバーキャップを用いてねじを設けることもよく知られ、下記特許文献１および特許文献２のように、密封性のよいねじキャップが従来より知られている。
【先行技術文献】
【特許文献】
【０００４】
【特許文献１】特開２０１４−１０８７９８号公報
【特許文献２】特開２０１４−１０８８０４号公報
【発明の概要】
【発明が解決しようとする課題】
【０００５】
しかしながら、上記特許文献１や特許文献２などのねじキャップの場合には、回転動作により、容易に開栓できる反面、開閉時に音がしないため、とくに完全にキャップが閉じているかどうか明りょうでなく、ねじをきつく閉めすぎて、ねじ部を破壊してシール性を悪くしてしまったり、また、完全に閉まってないまま放置して、何かの拍子に容器が転倒した際に、液漏れが生じてしまうという問題があった。
【０００６】
本発明は、上記問題を解決することを課題とし、上蓋の開閉時に音が出る音出し機構付きのねじキャップを提供することを目的とする。
【課題を解決するための手段】
【０００７】
本発明は、上記の課題を解決するために、ねじキャップとして、容器本体の口部に装着されるキャップ本体と、キャップ本体にねじで開閉する上蓋とからなるねじキャップであって、キャップ本体は、口部に嵌合する係合筒部と、係合筒部上部から立設され、外周に上蓋に設けられるねじ部に螺合するねじ部を形成した筒壁と、筒壁上端部から立設される注出筒とを備え、注出筒は、容器本体内部に連通する注出口と、外周に第１突条部とを備え、上蓋は、頂壁と、頂壁の周縁から垂設された側周壁とを備え、頂壁の下面には、注出口内周に密嵌合する密封栓と、密封栓の外側に音出し筒部とが垂設され、音出し筒部の内周下端部には、注出筒の第１突条部を乗り越えるたびに音を出す第２突条部を備え、閉蓋状態において、第１突条部と第２突条部との間に隙間が形成されていることを特徴とする構成を採用する。
【０００８】
ねじキャップの実施形態として、音出し筒部の下端部に、切欠部が形成されていることを特徴とする構成を採用し、切欠部の実施態様として、切欠部の形状は、山形状、角形状、あるいはＵ字形状であることを特徴とする構成、また、切欠部は、対向する位置に２箇所形成されていることを特徴とする構成を採用する。
【０００９】
ねじキャップの別実施形態として、ねじ部のねじのリード角が３°〜１５°の範囲であることを特徴とする構成、第１突条部の先端部の下端形状がＲ形状であることを特徴とする構成を採用する。
【発明の効果】
【００１０】
本発明のねじキャップは、キャップ本体の注出筒外周に設けられた第１突条部を、上蓋の音出し筒部内周に設けられた第２突条部が乗り越えることによって音を出し、とくに閉蓋に際して音によって閉蓋が終了したことを容易に認識することができるため、ねじを閉めすぎることがなく、また、逆に閉蓋が中途半端に終わることがなくなり、常に密封された状態で閉蓋することが可能となる。
また、閉蓋状態で螺合の緩みに対し、音出し筒部が第１突条部に係合（当接）し、螺合の緩みを防止することができる。
【図面の簡単な説明】
【００１１】
【図１】本発明のねじキャップの閉蓋状態を示す図であり、（ａ）は断面側面図であり、（ｂ）は（ａ）の要部拡大図である。
【図２】本発明のねじキャップのキャップ本体を示す図であり、（ａ）は上面図、（ｂ）は断面側面図である。
【図３】本発明のねじキャップのキャップ本体を示す図であり、（ａ）は側面図、（ｂ）は下面図である。
【図４】本発明のねじキャップの上蓋を示す図であり、（ａ）は断面側面図であり、（ｂ）は側面図である。
【図５】本発明のキャップ本体と上蓋との螺合に際し、上蓋が（ａ）〜（ｃ）の順に下降し、注出筒の第１突条部に音出し筒部の第２突条部が乗り越えて音を出す状態を示す要部拡大図である。
【発明を実施するための形態】
【００１２】
次に、本発明のねじキャップについて、実施例を示した図面を参照して説明する。
【実施例】
【００１３】
図１〜図４において、Ａはキャップ本体、Ｂは上蓋、Ｃは上蓋Ｂと切り離し可能に連設された封緘リング、Ｄはキャップ本体Ａと切り離し可能に連設された分別リング、Ｅは容器本体である。
【００１４】
図１に示すように、容器本体Ｅの口部１の外周には、キャップ本体Ａの下端部に連設される分別リングＤのための係合突条２が突設され、ねじキャップを打栓して容器本体Ｅに装着した状態では、キャップ本体Ａの下部に設けられた係合筒部５が口部１に嵌合するとともに、キャップ本体Ａの下端部に連設された分別リングＤが係合突条２を乗り越えて係合する。
【００１５】
図１〜図３に示すように、キャップ本体Ａは、内容液を注出するための注出筒６、内周縁に注出筒６を立設する上壁７、上壁７の周縁から垂設された筒壁８、筒壁８の下端部に連設された係合筒部５とからなっている。
注出筒６は、内周側に容器本体Ｅ内部と連通する注出口１０が設けられ、先端部には内容物を案内するラッパ状端部１１が設けられている。
また、注出筒６は、外周は下り傾斜に形成され、下部に第１突条部１３が設けられている。本実施例では、注出筒６と上壁７との間に第１突条部１３が設けられ、キャップ本体Ａの上部に形成されている。
なお、第１突条部１３は、注出筒６と筒壁８のねじ部１４との間であれば、どの位置に形成してもよい。
第１突条部１３は、後述する音出し筒部３６の第２突条部３５が乗り越えるときに音を出させるものであり、本実施例では、第２突条部３５による捲れを防止するために、第１突条部１３の先端部下部（角部）をＲ形状としている。
また、第１突条部１３下面は、上記Ｒ形状に向けて（上方）傾斜面を形成している。
【００１６】
上壁７は、注出筒６の下端部と連設する内周縁からほぼ水平方向に外方に延び、外周縁で筒壁８に連設している。
筒壁８の外周にはねじ部１４が設けられ、下端部で係合筒部５に連設している。
【００１７】
係合筒部５は、筒壁８が立設されたリング状壁１５と、リング状壁１５の内周縁部に垂設された内筒１６、リング状壁１５の外周縁に垂設された外筒１７とからなり、外筒１７の外周には、封緘リングＣが上方から嵌合可能な上部傾斜面１９を有する乗り越え突条２０と、乗り越え突条２０の下方に続く環状凹部２１、さらに環状凹部２１の下端部に、フランジ部２７を介して分別リングＤが設けられている。
分別リングＤの外周壁２８には、図３（ａ）が示すように、スリット２２が上端から下端まで形成され、また、図２（ａ）および図３（ｂ）に示すように、フランジ部２７の周方向に沿ってスリット２２が形成され、フランジ部２７の内周縁まで連設されている。スリット２２の内周側に補強リブ２３が設けられるとともに、フランジ部２７の内周縁のスリット２２（分別時の切り始め部分）から周方向に破断可能な薄肉連結部２５が設けられ、補強リブ２３の端部（分別時の切り終わり部分）まで形成される。スリット２２で形成された薄い外周側は分別の際の摘み部２４となる。
また、分別リングＤの内周には口部１の係合突条２を容易に乗り越えて係合する係止突部２６が設けられている。
【００１８】
図１および図４が示すように、上蓋Ｂは、頂壁３０と、頂壁３０の周縁から垂設される側周壁３１とを備えている。
頂壁３０の裏面には、注出口１０に密嵌する密封栓３４と、密封栓３４の外側に音出し筒部３６と、音出し筒部３６の外側にキャップ本体Ａの筒壁８のねじ部１４に螺合するねじ部３７を備えたねじ筒部３８とが垂設され、音出し筒部３６とねじ筒部３８との間には空間が設けられている。
なお、ねじ筒部３８をなくし、側周壁３１の内周にねじ部３７を設けてもよい。
【００１９】
音出し筒部３６には、内周下端部に注出筒６の第１突条部１３を乗り越えるときに音を出す第２突条部３５を有しており、上蓋Ｂが締め込まれた状態では、図１（ｂ）に示すように、第２突条部３５は、注出筒６の第１突状部１３との間に隙間ａが形成され、且つ音出し筒部３６の第２突条部３５が第１突条部１３を乗り越えるとき、音出し筒部３６が外側に拡がる空間を設けることで、音が出やすくなっている。
また、音出し筒部３６の下端部に切欠部３９を設けることによって、音出し筒部３６が振動して音が大きく響くようになるため、本実施例では、山形状の切欠部３９を対向位置に２箇所設けている。
なお、切欠部３９は設けなくてもよいが、音を大きく響かせるためには切欠部３９を設けることが好ましく、切欠部３９の形状は山形状でなくても、角形状でも、Ｕ字状でも構わない。
また、切欠部３９の数は１つでも、複数であってもよく、複数ある場合は、対向する位置、あるいは等間隔に設けられることが好ましい。
第１突条部１３は全周に設けられており、第２突条部３５も切欠部３９がない場合は全周であるが、切欠部３９のある場合は、切欠部３９によって途切れて間欠に設けられる。
【００２０】
さらに、キャップ本体Ａのねじ部１４におけるねじのリード角ｂは、大きいほうが音が出やすくなり、本実施例では３条ねじを用い、リード角ｂは８°であり、８°〜１０°の範囲が好ましい。
なお、リード角ｂとは、図３（ａ）に示す角度であり、リード角ｂが３°以上であれば、１条ねじでも多条ねじでも構わない。とくに、１条ねじの場合は、３°〜５°、２条ねじの場合は、６°〜７°、４条ねじの場合は、１１°〜１３°の範囲に設定することが好ましい。リード角ｂは、ねじの条数によって適宜設定することができ、３°〜１５°の範囲に設定することが望ましい。
【００２１】
側周壁３１の下端部には、複数の破断可能な連結片４０を介して封緘リングＣが連設されるとともに、複数の切欠き状の凹面部４１が設けられ、嵌め込み方向側に傾斜部４１ａが形成されている。
封緘リングＣは、内周面に外筒１７の乗り越え突条２０を乗り越えて環状凹部２１に嵌合する係止突条４２が設けられている。
係止突条４２の下部には、乗り越え突条２０の上部傾斜面１９とあいまって、乗り越え突条２０を乗り越えやすいように下部傾斜面４３が形成されている。
また、封緘リングＣの上面には、側周壁３１の凹面部４１に対応する凸面部４４が設けられ、締め込み方向側には傾斜部４４ａが設けられている。
【００２２】
次に、本実施例の使用態様と作用効果について説明する。
まず、封緘リングＣを一体に連設した上蓋Ｂを、分別リングＤが連設されたキャップ本体Ａに螺合する。
【００２３】
上蓋Ｂの螺合に伴い、密封栓３４が注出口１０に嵌入するとともに、封緘リングＣが下降して、係止突条４２が外筒１７の乗り越え突条２０の上部傾斜面１９に当接するが、係合筒部５はまだ容器本体Ｅに嵌合していないので、外筒１７は容易に変形し、係止突条４２は乗り越え突条２０を乗り越え、環状凹部２１に嵌合する。
【００２４】
また、図５に示すように、螺合に際し、音出し筒部３６の第２突条部３５は、注出筒６の第１突条部１３を乗り越え、音を出して上蓋Ｂのキャップ本体Ａへの締め付けの完了を認識することになる。
締め付けの完了によって、分別リンクＤが連設されたキャップ本体Ａと封緘リングＣが連設された上蓋Ｂとが一体となったねじキャップが組み立てられる。
【００２５】
組み立てが完了したねじキャップは、下端に分別リングＤを連設したキャップ本体Ａの係合筒部５を容器本体Ｅの口部１に被嵌して上蓋Ｂの上方から打栓され、図１に示すように、分別リングＤの下端部が口部１の係合突条２を乗り越え、分別リングＤの係止突部２６が係合突条２に係合するとともに、口部１は、内筒１６、外筒１７、リング状壁１５によって形成される嵌合溝に嵌合されて、容器本体Ｅに装着される。
このとき、外筒１７の下部は口部１が嵌合することによってわずかに拡径し、封緘リングＣは、係止突条４２の環状凹部２１への嵌合が強固となり、キャップ本体Ａから容易に離脱できなくなる。
【００２６】
容器本体Ｅに装着されたねじキャップを開封するには、上蓋Ｂを螺脱方向に回動する。
上蓋Ｂが回転してキャップ本体Ａに対して上昇し始めると、封緘リングＣもともに回転して上昇しようとするが、係止突条４２が乗り越え突条２０に係合して上昇を阻止され、比較的薄肉の連結片４０が破断し始める。
同時に、封緘リングＣの傾斜部４４ａが、凹面部４１の傾斜部４１ａに沿って上蓋Ｂの回転力により押下げ方向に力を受け、封緘リングＣは上蓋Ｂから完全に分離していく。
また、上蓋Ｂが上昇するときにも、音出し筒部３６の第２突条部３５が注出筒６の第１突条部１３を乗り越える際に音を出し、封緘リングＣが完全に分離されたことの合図となる。
また、上蓋Ｂがキャップ本体Ａから取り外されても、分離した封緘リングＣは、環状凹部２１内に落下し、分別リングＤの上面に留まるようになっている。
【００２７】
開封されたねじキャップは、容器本体Ｅを傾けて内容液を使用した後、キャップ本体Ａと上蓋Ｂを螺合させて密封することができる。
図５に示すように、螺合に伴い、密封栓３４が注出口１０に嵌入するとともに、音出し筒部３６の第２突条部３５は、注出筒６の第１突条部１３を乗り越えて音を出し、螺合が完了したことを示すとともに、ねじの螺合の緩みに対し、音出し筒部３６が第１突条部１３に係合（当接）するので、緩みを防止することができる。
【００２８】
容器を使用した後、キャップ本体Ａを容器本体Ｅから分別廃棄する際には、分別リングＤのスリット２２で構成された摘み部２４を周方向に引っ張ることによって薄肉連結部２５を破断していき、補強リブ２３の端部まで破断して、分別リングＤを引き上げることでキャップ本体Ａから分離する。
次いで、フリーになった封緘リングＣもキャップ本体Ａから分離されるので、キャップ本体Ａは、容易に容器本体Ｅから分別して廃棄することができる。
【産業上の利用可能性】
【００２９】
本発明のねじキャップは、音出し機構が付いているので、とくに閉蓋に際して音によって閉蓋が終了したことを容易に認識することができるため、ねじを閉めすぎてしまったり、また、逆に閉蓋が中途半端に終わることがなくなり、常に密封された状態とすることが可能となる。
また、本発明の音出し機構は、ねじの緩み止めの効果を有し、密封状態が維持されるので、液体容器用キャップとして広く適用可能であり、とくにドレッシングなどの液体調味料容器に適用して良好である。
【符号の説明】
【００３０】
Ａ              キャップ本体
Ｂ              上蓋
Ｃ              封緘リング
Ｄ              分別リング
Ｅ              容器本体
ａ              隙間
ｂ              リード角
１              口部
２              係合突条
５              係合筒部
６              注出筒
７              上壁
８              筒壁
１０              注出口
１１              ラッパ状端部
１３              第１突条部
１４              ねじ部
１５              リング状壁
１６              内筒
１７              外筒
１９              上部傾斜面
２０              乗り越え突条
２１              環状凹部
２２              スリット
２３              補強リブ
２４              摘み部
２５              薄肉連結部
２６              係止突部
２７              フランジ部
２８              外周壁
３０              頂壁
３１              側周壁
３４              密封栓
３５              第２突条部
３６              音出し筒部
３７              ねじ部
３８              ねじ筒部
３９              切欠部
４０              連結片
４１              凹面部
４１ａ            傾斜部
４２              係止突条
４３              下部傾斜面
４４              凸面部
４４ａ            傾斜部
【図１】
2018188161.tif 000003
【図２】
2018188161.tif 000004
【図３】
2018188161.tif 000005
【図４】
2018188161.tif 000006
【図５】
2018188161.tif 000007